(57)【特許請求の範囲】
【請求項１】
上枠本体と補助上枠を組み合わせて成る上枠を走行する吊車に吊設された折畳み式扉が閉じてロックするロック装置において、上枠のガイド溝を構成する上枠本体側の壁面を下方へ延ばしてガイド片とし、また吊車のローラが走行する為の上枠本体に設けた走行面は凹状化し、折畳み式扉の継手上端から突出するロック棒の上端には入口を幅広とした断面テーパーのスリット溝を設け、ロック棒が突出することで該スリット溝に上記ガイド片が嵌入するようにしたことを特徴とする折畳み式扉のロック装置。
【発明の詳細な説明】
【０００１】
【発明の属する技術分野】
本発明は折畳み式扉を閉じた際に該扉がガタ付かないようにするロック装置に関するものである。
【０００２】
【従来の技術】
窓や間口に折畳み式扉を装着して開閉するようにした型式のものが多用されているが、図３はその折畳み式扉の正面図を示している。折畳み式扉は２枚のパネル１ａ，１ｂから成り、この折畳み式扉は左右両側に対を成して枠体２に装着されている。枠体２は上枠３、下枠４、それに両側枠５，５の枠組みにて構成され、折畳み式扉は上枠３に形成している上レールに吊車が載って吊設されている。
【０００３】
２枚のパネル１ａ，１ｂを重ね合わせるように折畳むならば、枠体２から概略Ｖ型を成して張り出し、逆にＶ型を成して張り出している折畳み式扉は伸長することで枠体２に収まって窓や間口が閉ざされる。図４は折畳み式扉が伸長して窓が閉ざされている場合の両パネル１ａ，１ｂの継手部位での上枠部分の縦断面を示している。同図に示している上枠３は上枠本体６と補助上枠７との組合せで構成しており、折畳み式扉の継手８の上端にはロック棒９が突出してガイド溝１０に嵌入し、又継手８の上端にはピン１１が突出して溝１２に嵌っている。
【０００４】
開閉する際には、上記ロック棒９及びピン１１は降下しているが、継手８に取着しているハンドルを操作することで上方へ突出することが出来て、折畳み式扉は開かないようにロックされる。そして上枠３には気密材１３が取付けられて折畳み式扉の上端部正面に当接することが出来、上枠３と折畳み式扉間の隙間を無くして気密性並びに水密性を確保している。
【０００５】
図５は従来のロック装置を示しているが、折畳み式扉のパネルを連結する継手上端からロック棒９を突出し、このロック棒９は吊車が走行する上枠３のガイド溝１０に嵌入する。上枠３には吊車から垂下して折畳み式扉を吊設する為の吊ボルトが遊嵌するガイド溝１０が沿設されていて、このガイド溝１０に嵌入することで折畳み式扉はガタ付くことなく閉じることが出来る。
【０００６】
ロック棒９はガイド溝１０に嵌入することで折畳み式扉がガタ付かないようにしなくてはならず、同図（ａ）はガイド溝１０との間にほぼ隙間なくロッド棒９が嵌入した場合である。このようにロック棒９がガイド溝１０に嵌入するならば、閉じた折畳み式扉がガタ付くことはない。しかし（ｂ）のようにガイド溝１０が狭い場合にはロッド棒９の嵌入が出来ない。従って、ガイド溝１０の幅を拡大するか、又はロッド棒９を細くしなくてはならない。（ｃ）はガイド溝１０とロック棒９との間に大きな隙間１４を残している場合であり、このような場合にはロックしても折畳み式扉はガタ付き安定しない。従って、風が吹くならば閉じた折畳み式扉はガタ付き、雨水が侵入する。
【０００７】
上枠３はアルミ製の押出し材であり、押出し寸法にバラツキが発生することは常であり、特に形状が上下・左右にバランスしたものではない上枠の寸法精度は低い。そして該上枠３は上枠本体６と補助上枠７との組合せで構成していることから、押出し形状にバラツキが起きてガイド溝部分での寸法精度は低下する。同じ金型を使用して押出された上枠本体６及び補助上枠７を組み合せて構成される上枠のガイド溝は、上記のようにロック棒が嵌らなかったり、逆に大きな隙間が生じたりする。
【０００８】
【発明が解決しようとする課題】
このように、従来の折畳み式扉のロック装置には上記のごとき問題がある。本発明が解決しようとする課題はこの問題点であり、折畳み式扉から突出するロック棒が上枠に係合して折畳み式扉がガタ付くことなく安定して閉じることが出来るように構成する折畳み式扉のロック装置を提供する。
【０００９】
【課題を解決する為の手段】
本発明に係る折畳み式扉のロック装置は上枠、すなわち上枠のガイド溝幅が変化しても装着した折畳み式扉のロック装置が施錠可能なように構成している。そこで、ロック棒の上端にはスリット溝を上枠と同じ方向に形成し、このスリット溝に上枠に形成したガイド片を嵌入することが出来る。すなわち、ガイド溝を構成する片方の壁面を下方へ延ばしてガイド片とし、このガイド片に上方へ突出するロッド棒上端に形成したスリット溝が嵌って噛み合う。
【００１０】
そこで、ロック棒のスリット溝の位置と上枠のガイド片の位置が定まっている限り、互いに噛み合ってロック棒は位置決めされ、ガイド溝の幅が変化してもロック機能には何ら影響しない。そしてガイド片の位置が変化した場合であっても、折畳み式扉がガイド片の位置に馴染んでロック棒が係合する。以下、本発明に係る実施例を図面に基づいて詳細に説明する。
【００１１】
【実施例】
図１は本発明に係る折畳み式扉のロック装置を示す実施例である。同図に示す上枠３は上枠本体６と補助上枠７から成り、上枠本体６に形成している溝１５ａ，１５ｂに補助上枠７に形成している嵌入片１６ａ，１６ｂが嵌入することで互いに組合されている。そして、分離しないようにネジ止めがなされている。
【００１２】
そして組合された上枠３には走行面１７ａ，１７ｂが設けられ、この走行面１７ａ，１７ｂに吊車のローラが載って走行することで折畳み式扉が開閉することが出来る。一方の走行面１７ａは平坦面となっているが、他方の走行面１７ｂは凹状化していて、該走行面１７ｂから吊車のローラが外れないようになっている。
【００１３】
ところで、本発明のロック装置では、両走行面１７ａ，１７ｂの間に設けられるガイド溝１０を構成する壁面の片方を下方へ延ばしてガイド片１８としている。そして、このガイド片１８にロック棒９の上端に形成したスリット溝が係合することで、該ロック棒９は位置決め・固定される。
【００１４】
図２はロック棒９の上端部を示す具体例であり、上端にはスリット溝１９が形成されている。スリット溝１９は入口となる上端の幅は大きくなっていて、ロック棒９が突出することでガイド片１８が嵌入し易くしている。すなわち、押出し成形される上枠３のガイド溝１０の幅寸法にバラツキが発生するように、ガイド片１８の位置精度が低くても、スリット溝１９を同図に示すように上端入口を幅広とすることでロック棒９及び折畳み式扉がガイド片１８に馴染むことが出来る。
【００１５】
ところで、図１（ａ）では突出したロック棒９のスリット溝１９にガイド片１８が嵌入した場合であり、ガイド溝１０との間には適度な隙間２０が残っている。（ｂ）はガイド溝１０の幅が狭い場合であり、ロック棒９との間には殆ど隙間を残していない。又（ｃ）はガイド溝１０の幅が大きな場合であり、その為にロック棒９との間に比較的大きな隙間を残している。
【００１６】
このように、ガイド溝１０の幅寸法が如何様であっても、ロック棒９が突出することでスリット溝１９にガイド片１８が嵌入して該ロック棒９は位置決めされる。同図において折畳み式扉を２点鎖線で示しているが、上枠３に沿設しているシール材２１に折畳み式扉の表面が接して隙間を発生しない。該シール材２１が取付けられる上枠３は、ガイド片１８を有している上枠本体側であり、ガイド片１８との位置関係は比較的正確である。
【００１７】
そして図１では折畳み式扉の上端部正面に当接する気密材を備えていないが、該気密材を取付けることは自由であり、折畳み式扉にはロック棒に対向してピンを備えることが出来る。以上述べたように、本発明に係る折畳み式扉のロック装置は、上枠のガイド溝を構成する片方の壁面を下方に延ばしてガイド片とし、突出するロック棒にスリット溝を形成して該ガイド片が嵌入するようにしたものであり、次のような効果を得ることが出来る。
【００１８】
【発明の効果】
本発明に係る折畳み式扉のロック装置は、上枠にガイド片を設けると共にロック棒上端にはスリット溝を形成している。従って、ロック棒が突出するならば、ガイド片がスリット溝に嵌入し、ロック棒が位置決めされ、ひいては折畳み式扉はガタ付くことなくロックされる。
【００１９】
スリット溝は入口上端の幅を大きくしている為に、ガイド片の位置が多少ズレていても、突出するロック棒のスリット溝はガイド片にガイドされて噛み合い、ガイド溝の幅寸法に影響されることなく折畳み式扉がロックされる。そして、ガイド片に噛み合って固定されたロック棒にて定位置にロックされた折り畳み式扉はシール材との間に隙間を残すことなく、気密性も向上する。
【図面の簡単な説明】
【図１】ロック棒がガイド片に噛み合う本発明のロック装置。
【図２】ロック棒の上端部。
【図３】折畳み式扉装置の正面図。
【図４】折畳み式扉が閉じて上枠のガイド溝及び溝にロック棒とピンが嵌っている場合。
【図５】従来の折畳み式扉のロック装置。
【符号の説明】
１  パネル
２  枠体
３  上枠
４  下枠
５  側枠
６  上枠本体
７  補助上枠
８  継手
９  ロック棒
１０  ガイド溝
１１  ピン
１２  溝
１３  気密材
１４  隙間
１５  溝
１６  嵌入片
１７  走行面
１８  ガイド片
１９  スリット溝
２０  隙間
２１  シール材
【図１】
0003632050.tif 000002
【図２】
0003632050.tif 000003
【図３】
0003632050.tif 000004
【図４】
0003632050.tif 000005
【図５】
0003632050.tif 000006